(57)【要約】      （修正有）【課題】顧客の情報を反映し、優先順位に合わせて出力されたラベルを試験管に貼り付けること。【解決手段】順次ラベリングが可能な試験管ラベリング装置１００は、ラベルが貼り付けられていない多数個の試験管をランダムに取り入れる複数のカセットを含むカセット部１１０と、ラベルが貼り付けられていない試験管を運ぶ移送部１２０と、試験管ラベリングプロセスを制御する制御部１３０と、ラベルを印刷するラベルプリント部１４０と、試験管にラベルを貼り付け、試験管を排出するラベル貼付部１５０と、ラベル貼付部から供給されるラベルが貼り付けられた試験管を収納する試験管収納部１６０と、を含む。順次ラベリングが可能な試験管ラベリング装置の動作用プログラムが記録された記録媒体は、前記試験管ラベリング装置１００が病院での検査優先順位に合わせて動作できるようにするプログラムを含む。【選択図】図２
2020200111.tif 000002
【特許請求の範囲】
【請求項１】
試験管ラベリング装置において、
複数の試験管を収納し、前記複数の試験管を一つずつ排出するように構成された複数のカセットを含むカセット部と、
前記複数のカセットから供給される試験管を前記試験管ラベリング装置内で移動させる移送部と、
前記移送部により、前記複数のカセットから供給される試験管に貼り付けられるラベルに情報を印刷するラベルプリント部と、
前記ラベルプリント部から印刷されたラベルを試験管に貼り付けるラベル貼付部と、
前記ラベル貼付部から供給されるラベルが貼り付けられた試験管を収納する試験管収納部と、
前記カセット部、前記移送部、前記ラベルプリント部、前記ラベル貼付部及び前記試験管収納部と動作的に接続される制御部と、
を含み、
前記制御部は、
検査対象者の識別情報、検査情報及び検査順位に関する情報が格納されているデータベースにアクセスし、
前記データベースから確認した検査順位情報に基づいて、試験管が順次に前記ラベル貼付部に供給されるように前記カセット部及び前記移送部を制御し、
前記検査順位情報に従って順次に提供された試験管に、前記検査対象者の識別情報及び検査情報を含む情報を試験管に貼り付けられるラベルに印刷するように、前記ラベルプリント部を制御する、
試験管ラベリング装置。
【請求項２】
前記試験管収納部は、前記試験管収納部における試験管の流入及び排出を感知するセンサーを含み、
前記制御部は、前記センサーから試験管の流入感知信号及び排出感知信号を受信することに対応し、排出が感知された試験管の次順位の試験管が、前記ラベル貼付部に供給されるようにし、前記排出が感知された試験管の次順位に当たる検査対象者の識別情報及び検査情報を含む情報がプリントされたラベルが、試験管に貼り付けられるようにする、
請求項１に記載の試験管ラベリング装置。
【請求項３】
前記試験管ラベリング装置は格納装置をさらに含み、前記データベースは前記格納装置に格納される、請求項１に記載の試験管ラベリング装置。
【請求項４】
前記試験管ラベリング装置は、外部電子装置と通信できる通信モジュールをさらに含み、
前記制御部は、前記通信モジュールを介して前記外部電子装置に格納されているデータベースにアクセスする、
請求項１に記載の試験管ラベリング装置。
【請求項５】
請求項１に記載された試験管ラベリング装置における検査順位情報に従って試験管にラベルを貼り付ける動作が実行されるようにするプログラムが記録されたコンピュータ読み取り可能な記録媒体において、
前記プログラムは、実行時、前記試験管ラベリング装置の前記制御部が、
検査対象者の識別情報、検査情報及び検査順位に関する情報が格納されている前記データベースにアクセスする動作と、
前記データベースから確認した検査順位情報に基づいて、試験管が順次に前記試験管ラベリング装置の前記ラベル貼付部に供給されるように前記カセット部及び前記移送部を制御する動作と、
前記検査順位情報に従って順次に提供された試験管に、前記検査対象者の識別情報及び検査情報を含む情報を試験管に貼り付けられるラベルにプリントするように前記制御する動作と、
を行うようにする、コンピュータ読み取り可能な記録媒体。
【請求項６】
前記プログラムは、実行時、前記試験管ラベリング装置の前記制御部が、
前記試験管収納部に設置され、前記試験管収納部における試験管の流入及び排出を感知するセンサーから試験管の流入感知信号及び排出感知信号を受信することに対応し、前記排出が感知された試験管の次順位の試験管が前記ラベル貼付部に供給されるように制御する動作と、
排出が感知された試験管の次順位に当たる検査対象者の識別情報及び検査情報を含む情報がプリントされたラベルが、次順位の試験管に貼り付けられるように制御する動作と、
をさらに行うようにする、請求項５に記載のコンピュータ読み取り可能な記録媒体。
【発明の詳細な説明】
【技術分野】
【０００１】
本発明は、病院での採血のための自動化装置において、顧客の情報を反映し、優先順位に合わせて出力されたラベルを試験管に貼り付け、試験管を順次に排出する試験管ラベリング装置及びその動作用プログラムが記録された記録媒体に関する。
【背景技術】
【０００２】
血液、動植物の見本、化学物などの様々なサンプルを保管するために試験管が使用されており、このような試験管には、試験管のサンプルに関する情報を表示するためのラベルが貼り付けられる。
【０００３】
多数の試験管にラベルを貼り付ける作業は、相当の作業量が必要となり、人手で行う場合、作業の結果物の品質が低下したり、ラベルが間違って貼り付けられたりすることがある。
【０００４】
前記のようなラベル貼り付けの作業量を減らし、正確度及び品質を向上させるために、自動化装置が使用されている。しかし、これは、ラベル貼付装置の状態に対応して、試験管を予め整列し供給しなければならない不便さがある。また、試験管及びラベルの準備を決まった検査手順に従って進行するためには、さらなる手作業が求められるという不便さがある。
【発明の概要】
【発明が解決しようとする課題】
【０００５】
従来では、人が手作業により、顧客の検体情報に合わせて優先順位を考慮し、試験管を用意しなければならないという問題がある。
【０００６】
また、従来では、ランダムに取り入れた試験管に、顧客の検体情報が記入されたラベルを貼り付ける装置があった。しかし、該装置では、検査手順を考慮した優先順位による試験管の排出が行われず、多数個の試験管が収納部に積み重なって置かれるという問題がある。
【０００７】
本発明は、前記のような従来の問題を解決するために案出したもので、本発明の目的は、顧客の情報を反映し、優先順位に合わせて出力されたラベルを試験管に貼り付け、順次に排出する試験管ラベリング装置及びその動作用プログラムが記録された記録媒体を提供することにある。
【課題を解決するための手段】
【０００８】
本発明の多様な実施形態による試験管ラベリング装置及びその動作用プログラムが記録された記録媒体は、顧客の基本情報及び検体情報を優先順位に従って割り当て、検査手順に合わせて試験管にラベルを貼り付け、順次に一つずつ排出する。
【０００９】
本発明の多様な実施形態による試験管ラベリング装置は、複数の試験管を収納し、試験管を一つずつ排出するように構成されたカセットを複数個含む、ランダムに積層されるカセット部と、カセット部から供給される試験管をラベル貼付部に移動させるための移送部と、顧客の基本情報を記録する病院内部プログラムを処理する制御部と、試験管に貼り付けられるラベルに患者の情報をプリントするラベルプリント部と、移送部から供給された試験管にラベルプリント部から供給されたラベルを貼り付けるラベル貼付部と、ラベル貼付部から供給されるラベルが貼り付けられた試験管を収納する試験管収納部と、を含む。
【００１０】
本発明の多様な実施形態による順次試験管ラベリング装置の動作用プログラムが記録された記録媒体は、検査手順に従って優先順位を付けたプログラム、例えば、試験管ラベリング装置を提供するために、データベース上に格納され、ラベリング装置の制御部で作動されるプログラムにより、試験管を順次に一つずつ排出する。
【発明の効果】
【００１１】
本発明の多様な実施形態による試験管ラベリング装置及び試験管ラベリング方法を記録した記録媒体は、病院の必要条件によって決まる検査手順に合わせ、優先順位を考慮してラベルを貼り付けた試験管を順次に自動排出することができる。
【００１２】
本発明の多様な実施形態による装置及び記録媒体は、試験管が置かれる収納部から試験管の収去が確認された後、次順位の試験管のラベル貼り付け及び排出を進行することにより、試験管の排出動作の流れに停滞が生じることを防止することができる。
【図面の簡単な説明】
【００１３】
【図１】本発明の多様な実施形態による試験管ラベリング装置の構成に関する図面である。
【図２】本発明の多様な実施形態による試験管ラベリング装置の構成に関するブロック図である。
【図３】本発明の多様な実施形態による試験管ラベリング装置の動作用プログラムのフローチャートである。
【発明を実施するための形態】
【００１４】
以下、本発明の多様な実施形態を、添付した図面を参照しながら説明する。しかし、これは、本発明を特定の実施形態に限定しようとするものではなく、本発明の実施形態の多様な変更（ｍｏｄｉｆｉｃａｔｉｏｎ）、均等物（ｅｑｕｉｖａｌｅｎｔ）、及び／又は代替物（ａｌｔｅｒｎａｔｉｖｅ）を含むことを理解しなければならない。図面の説明に関連して、類似の構成要素に対しては類似の参照符号が用いられる。
【００１５】
本明細書において、「有する」、「有することができる」、「含む」又は「含むことができる」などの表現は、当該の特徴（例えば、数値、機能、動作、又は部品などの構成要素）の存在を指し、追加的な特徴の存在を排除しない。
【００１６】
本明細書において、「Ａ又はＢ」、「Ａ又は／及びＢのうちの少なくとも一つ」又は「Ａ又は／及びＢのうちの一つ又はそれ以上」などの表現は、共に羅列された項目の全ての可能な組み合わせを含む。例えば、「Ａ又はＢのうちの少なくとも一つ」は、（１）少なくとも一つのＡを含み、（２）少なくとも一つのＢを含み、又は（３）少なくとも一つのＡ及び少なくとも一つのＢのいずれをも含む場合を全て指称する。
【００１７】
本明細書書において用いられた用語は、単に特定の一実施形態を説明するために用いられたものであって、他の実施形態の範囲を限定しようとする意図はない。単数の表現は文脈上、明白に異なるように意図しない限り、複数の表現を含む。技術的や科学的な用語を含む本明細書で用いられる全ての用語は、本発明の技術分野における通常の知識を有する者によって一般的に理解されるものと同一の意味を有する。一般的に用いられる事前に定義された用語は、関連技術の文脈上有する意味と同一又は類似の意味を有すると解釈され、本明細書において明白に定義されない限り、理想的や過度に形式的な意味で解釈されない。場合によって、本明細書において定義された用語でも本発明の実施形態を排除するように解釈されない。
【００１８】
本発明の多様な実施形態による試験管ラベリング装置１００は、例えば、採血管用のチューブ整列装置、ラベル機用の採血管自動供給装置、試験管供給装置、試験管準備装置、試験管移送装置、ラベリング装置、チューブ容器のラベリング装置、又はこれらを含む装置を全て指称する。
【００１９】
以下、添付した図面を参照しながら、多様な実施形態による試験管ラベリング装置１００を説明する。
【００２０】
図１は、本発明の多様な実施形態による試験管ラベリング装置１００の構成要素に関する図面である。本発明の多様な実施形態による構成要素の名称は、定まったものではなく、各構成要素の機能によって変わることがある。例えば、制御部１３０は、 メモリ部又はプロセッサといった名称に変わることが可能である。
【００２１】
図１に示されたように、本発明の多様な実施形態による試験管ラベリング装置１００のカセット１１１は、多数個の試験管を水平状態に積層するために前面に形成された投入口、及び一つの試験管を排出させるために下部に形成された排出口を有するように形成される。カセット部１１０は、複数のカセット１１１を含み、カセット１１１は、複数の試験管を収納し、試験管を一つずつ排出する。この時、カセット１１１は、ランダムに供給された試験管を回転して一つずつ排出し、カセット１１１の排出口を介して一つずつ排出された試験管は、移送部１２０に位置する。
【００２２】
移送部１２０は、試験管を運ぶ機能を果たす。移送部１２０の排出口は、ラベル貼付部１５０に接続され、前記移送部１２０の排出口を介して試験管が一つずつ排出される。図１に示されたように、移送部１２０は、カセット部１１０の下側に位置するが、本発明の多様な実施形態による試験管ラベリング装置１００の移送部１２０の位置は、これに限定されるものではなく、カセット部１１０から試験管の供給が可能なところであれば、いずれの位置にも設けることができる。移送部１２０は、例えば、コンベアベルト状に構成され、供給された試験管を運ぶ。
【００２３】
本発明の多様な実施形態による試験管ラベリング装置１００は、格納装置のメモリ（図示せず）を含む。試験管ラベリング装置１００のメモリ（図示せず）には、試験管貼付ラベルに印刷される情報と、試験管ラベリング装置１００の動作に関する情報とが格納される。
【００２４】
前記試験管貼付ラベルに印刷される情報は、検査対象者の基本情報、識別情報、検査情報、及び／又はこれにバーコードを付与したものが挙げられ、印刷のために、ラベルプリント部１４０に情報が伝達される。
【００２５】
前記試験管ラベリング装置１００の動作に関する情報は、病院の必要条件による検査優先順位に関する情報、個別カセット１１１の番号に関する情報が挙げられる。
【００２６】
前記病院の必要条件による検査優先順位に関する情報は、例えば、優先すべき特定の疾病に対する検査の優先順位が挙げられ、メモリに格納され、制御部１３０により試験管のラベリングが進行される。
【００２７】
前記個別カセット１１１の番号に関する情報は、例えば、数個の疾病に対する採血情報をまとめる必要がある場合、個別カセット１１１に対する番号を指定するものが挙げられる。特定の疾病に対する採血は、前記番号を付けたカセット１１１に投入された試験管のみで行われると指定した情報を、メモリに格納する。
【００２８】
本発明の多様な実施形態による試験管ラベリング装置１００は、外部装置（例えば、病院の中央コンピュータ、医師のパソコン）との情報の送受信のための通信モジュール（図示せず）を含む。前記通信モジュールを介した情報の交換は、有無線通信網を用いて行われ、受信した情報は、試験管ラベリング装置１００のメモリに格納される。
【００２９】
本発明の多様な実施形態による試験管ラベリング装置１００のメモリに格納される方式は、前記有無線通信網の利用以外も可能である。試験管ラベリング装置１００のメモリに必要な情報が格納される方式は、例えば、ポータブル格納媒体を介して情報を格納して試験管ラベリング装置１００のメモリに提供する方式、試験管ラベリング装置１００の提供時、試験管ラベリング装置１００のメモリに格納して提供する方式、試験管ラベリング装置１００の提供時、病院の必要条件を反映し、試験管ラベリング装置１００のメモリに格納して提供する方式などである。
【００３０】
本発明の多様な実施形態による制御部１３０は、複数のカセット１１１を含むカセット部１１０、移送部１２０、ラベルプリント部１４０、ラベル貼付部１５０及び試験管収納部１６０と動作的に接続される。
【００３１】
本発明の多様な実施形態による制御部１３０の機能又は動作は、次の通りである。
【００３２】
制御部１３０は、例えば、試験管ラベリング装置１００のメモリに格納されたデータベース及び／又は外部装置に格納されたデータベースの情報を制御し、複数のカセット１１１を含むカセット部１１０から試験管が一つずつ排出されるようにする。
【００３３】
制御部１３０は、試験管ラベリング装置１００のメモリ及び／又は外部装置に格納されているデータベースに入力された情報の優先順位を満たす試験管のラベリングの要請に対応し、複数のカセット１１１を含むカセット部１１０から一つずつ排出された試験管を移送部１２０を経てラベル貼付部１５０に移動させる。
【００３４】
制御部１３０は、検査対象者の情報をプリントするための要請により、検査優先順位が付けられた検査対象者の情報をラベルプリント部１４０から印刷するようにする。
【００３５】
制御部１３０は、印刷されたラベルの情報と、試験管ラベリング装置１００のメモリ及び／又は外部装置に格納されたデータベースの情報との同一性の判断の要請に対応し、試験管ラベリング装置１００内の内部スキャナ１５１を介してマッチングする。制御部１３０は、前記同一性の判断に間違いがない場合、ラベル貼付済みの試験管を試験管収納部１６０に排出する準備を行う。
【００３６】
制御部１３０は、試験管収納部１６０のセンサー１６１による試験管の存在有無の判断に対応し、ラベル貼付部１５０からラベル貼付済みの試験管を排出するようにする。
【００３７】
本発明の多様な実施形態による前記試験管ラベリング装置１００の制御部１３０は、試験管の供給から始め、試験管収納部１６０に排出されて検査手順が完了するまでに、繰り返して機能する。前記制御部１３０は、試験管ラベリングの全過程において、一つの試験管にラベル貼り付けが完了し、試験管収納部１６０に排出されるまで、他の試験管に対しては、ラベル貼付部１５０への排出及びラベリング動作を行うことができないように機能する。
【００３８】
ラベルプリント部１４０は、ラベルが巻き取られた供給ローラー（図示せず）から供給されるラベルに、試験管ラベリング装置１００のメモリ及び／又は外部装置に入力格納されたデータベースの情報、例えば、検査対象者の識別情報、検査情報、ＩＤ、検査項目、試験管の種類、採血量などの検査に必要な項目をプリントする。
【００３９】
ラベル貼付部１５０は、移送部１２０を介して供給された試験管に、ラベルプリント部１４０から供給されたラベルを貼り付ける。ラベル貼付部１５０は、ラベルが貼り付けられた試験管を試験管収納部１６０に排出する機能を果たす。試験管収納部１６０は、ラベル貼付部１５０を介して排出された試験管を収納するための空間である。試験管収納部１６０は、物体の存在有無を感知するセンサー１６１を含む。
【００４０】
試験管収納部１６０の試験管の存在有無を判断するセンサーは、例えば、赤外線センサー、重さの感知が可能な圧力センサーを使用し、物理的な接点を成すことを感知する接点センサーで成る。前記試験管収納部１６０のセンサー１６１は、既に排出された試験管が存在するか感知することにより、ラベル貼付部１５０から試験管を排出するか否かを制御部１３０が判断できるようにする。感知による試験管の排出可否は、既に排出された試験管がない場合のみ、制御部１３０の判断により、ラベル貼付部１５０から一つの試験管を排出することができる。
【００４１】
図１に示されている試験管ラベリング装置１００は、外部からラベルのバーコードをスキャンすることにより、入力情報を表示して確認するためのディスプレイ部をさらに有する。ディスプレイ部（図示せず）は、顧客の情報を出力及びスキャンできる補助入出力装置を具備することができる。すなわち、ディスプレイ部は、顧客の要請に応じて、顧客の情報などを出力するように提供することもでき、別途の情報が認識された製品をスキャンし、取得した情報を別途のモニターを介して提供することもできる。
【００４２】
図２は、本発明の多様な実施形態によるラベリング装置の構成に関するブロック図である。
【００４３】
病院での採血による検査の開始のために、例えば、（１）採血作業者は、複数のカセット１１１を含むカセット部１１０にランダムに、ラベルが貼り付けられていない試験管を供給し、（２）試験管ラベリング装置１００のメモリ及び／又は外部装置に格納された情報により、採血作業者は、ラベルが貼り付けられていない試験管の供給を要請する。制御部１３０は、前記試験管供給要請に対応し、複数のカセット１１１を含むカセット部１１０から試験管を一つずつ排出するようにする。
【００４４】
試験管にラベルを貼り付けるために、制御部１３０は、複数のカセット１１１を含むカセット部１１０から排出された試験管を、移送部１２０を介してラベル貼付部１５０に運ぶように制御する。
【００４５】
制御部１３０は、試験管ラベリング装置のメモリ及び／又は外部装置に格納されたデータベースにアクセスして確認した検査順位情報に基づいて、試験管が順次に供給されるようにし、ラベルプリント部１４０に、前記データベースから得られた検査対象者の情報を印刷するように制御し、また、プリントされたラベルが、ラベル貼付部１５０により、運ばれた試験管に貼り付けられるように制御する。
【００４６】
前記試験管収納部１６０は、前記試験管収納部１６０における試験管の流入及び排出を感知するセンサー１６１を含み、前記制御部１３０は、試験管収納部１６０のセンサー１６１から試験管の流入感知信号及び排出感知信号を受信することに対応し、排出が感知された試験管の次順位の試験管が、ラベル貼付部１５０に供給されるように制御する。制御部１３０は、前記排出が感知された試験管の次順位に当たる検査対象者（排出が感知された試験管に割り当てられた検査順位の次の検査順位が割り当てられた検査対象者）の識別情報及び検査情報を含む情報がプリントされたラベルが、試験管に貼り付けられるように制御する。
【００４７】
制御部１３０は、試験管収納部１６０のセンサー１６１を介して試験管の流入及び排出感知信号を受信することに対応し、試験管収納部１６０に排出された試験管が存在しない場合のみ、ラベルが貼り付けられた次順位の一つの試験管を排出するように制御する。
【００４８】
以下、添付図面を参照しながら、多様な実施形態による試験管のラベリング方法が記録された記録媒体を説明する。
【００４９】
図３は、本発明の多様な実施形態による試験管ラベリング装置の動作用プログラムのフローチャートである。
【００５０】
本発明の多様な実施形態による試験管ラベリング装置１００が、内部のメモリ及び／又は外部装置に格納されたデータベースの情報に従って、試験管にラベルを貼り付ける方法を制御するプログラムを記録又は格納する記録媒体は、ポータブル格納媒体が挙げられる。また、記録媒体の形式は、本発明の多様な実施形態によるラベリング装置１００の制御部１３０が、装置的に接近して制御できるものであれば、ポータブル格納媒体の形式に制限されない。
【００５１】
試験管ラベリング装置１００が検査順位情報に従って試験管ラベリングを制御するプログラムを格納する記録媒体は、試験管ラベリング装置１００の提供時に一緒に提供されても良い。
【００５２】
検査順位情報に従って試験管ラベリング装置１００が試験管にラベルを貼り付ける動作は、試験管ラベリング装置１００の制御部１３０において、検査対象者の識別情報、検査情報、及び検査順位に関する情報が格納されているデータベースにアクセスするようにする動作を含むことができる。
【００５３】
検査順位情報に従って試験管ラベリング装置１００が試験管にラベルを貼り付ける動作は、試験管ラベリング装置１００の制御部１３０において、前記データベースから確認した検査順位情報に基づいて、試験管が順次に前記試験管ラベリング装置１００のラベル貼付部１５０に供給されるように、複数のカセット１１１を含むカセット部１１０及び移送部１２０を制御するようにする動作を含むことができる。また、検査順位情報に従って試験管にラベルを貼り付ける動作は、制御部１３０が順次に提供された試験管に貼り付けられるラベルをラベルプリント部１４０により印刷するようにする動作を含むことができる。
【００５４】
検査順位情報に従って試験管にラベルを貼り付ける動作は、試験管ラベリング装置１００の複数のカセット１１１を含むカセット部１１０から収納された複数の試験管を一つずつ排出するようにする動作を含むことができる。また、前記移送された試験管に印刷されたラベルを貼り付ける動作と、ラベルが貼り付けられた試験管を試験管収納部１６０に収納する動作とが、検査順位情報に従って試験管にラベルを貼り付ける動作に含まれても良い。
【００５５】
試験管ラベリング装置１００の検査順位情報によるラベル貼付動作用プログラムは、例えば、病院の中央コンピュータ、医師のパソコンに設置されても良い。また、ポータブル格納媒体を用いて病院の中央コンピュータ及び／又は医師のパソコンに提供されても良く、試験管ラベリング装置１００のメモリに設置されて提供されても良く、ポータブル格納媒体を介して試験管ラベリング装置１００で運用されるように提供されても良い。
【００５６】
試験管ラベリング装置１００の作動のための検査対象者の識別情報、検査情報、及び検査順位情報は、試験管ラベリング装置１００のメモリに設置されて制御部１３０により利用されても良く、試験管ラベリング装置１００の外部装置に設置されて制御部により利用されても良く、前記両方の方法により利用されても良い。
【００５７】
図３を参照すれば、試験管ラベリング装置１００の制御部（例えば、図１の制御部１３０）は、病院の必要条件による優先順位に従ってデータを分類する。例えば、制御部１３０は、検査対象者の識別情報、検査情報、及び検査順位情報に関するデータを分類するように設定される。この時、制御部１３０は、分類に必要な情報をデータベースにアクセスして取得する。
【００５８】
一実施形態によれば、制御部１３０は、優先順位による試験管の整列が完了したかを確認する動作を行うように設定される。制御部１３０は、優先順位に従ってデータを分類し（３０１）、順次ラベリングのために、一人の顧客に対するラベルの印刷が完了したかを確認する動作を行う。この場合、制御部１３０は、一人の顧客に対する印刷が完了していないことを確認することで、優先順位による試験管の整列が完了していないと確認することができる。
【００５９】
他の実施形態によれば、制御部１３０は、優先順位によるデータの分類後、カセット部１１０から試験管を取り出し、ラベル貼付部１５０に試験管を排出するように設定される。制御部１３０が、優先順位による試験管の整列が完了したかを確認（３０２）する動作を経なくて良い場合は、例えば、試験管ラベリング装置１００の起動又は再起動により、試験管に貼り付けられるラベルの印刷が実行されていない場合が挙げられる。
【００６０】
図３を参照すれば、制御部１３０は、優先順位に従ってラベリングした試験管を一つずつ排出するために、試験管の整列が完了したかを確認する。例えば、優先順位による試験管の整列が完了したことを確認すると、次順位の試験管のラベリングを進行するように設定される。ここで、優先順位による試験管の整列完了の確認動作は、試験管に優先順位によるラベルが貼り付けられて排出されたかを確認する動作が挙げられる。他の実施形態によれば、制御部は、ラベリング装置１００の起動又は再起動により試験管のラベリングが最初に実行される場合、優先順位による試験管の整列が完了していないと確認し、直ちに３０３の動作を進行するように設定される。
【００６１】
一実施形態によれば、制御部１３０は、優先順位による第１順位の検査対象者に対する試験管のラベリングが完了していない場合、図３のプロセスを繰り返す。制御部１３０は、３０８の過程において、一人の顧客（例えば、第１順位の検査対象者）に対する試験管のラベリングが完了していないと判断した場合、３０２ないし３０８の動作を繰り返すように設定される。
【００６２】
他の実施形態によれば、制御部１３０は、優先順位による第１順位の検査対象者に対する試験管のラベリングを完了した場合、次順位の第２順位の検査対象者に対する試験管のラベリングを進行するように設定される。この場合、一人の顧客（例えば、第１順位の検査対象者）に対する試験管のラベリングが完了したと判断し、第１順位の検査対象者に対するプロセスは終了（３０９）する。制御部１３０は、次順位（例えば、第２順位）の検査対象者に対するプロセスを進行するために、３０２に戻り、優先順位による試験管の整列が完了したことを確認し、順位を第２順位に上げる。ここで、優先順位による試験管の整列が完了したことを確認することは、制御部１３０が、データベースから受信する全体データの一部に対するプロセスが完了したことを確認することが挙げられる。
【００６３】
図３を参照すれば、制御部１３０が３０８の動作を行い、第１順位の検査対象者に対する試験管のラベリングが完了していないと確認した場合、３０２の動作を行う。この時、第１順位の検査対象者に対する試験管の整列が完了していないことから、３０３の動作に進行され、第２順位に順位が上がらない。他の実施形態によれば、第１順位の検査対象者に対する試験管のラベリングが完了し、優先順位に従って分類されたデータ上の第２順位の検査対象者に対する試験管のラベリングが進行される。この場合、制御部１３０は、３０２の動作の実行時、優先順位による第１順位の検査対象者の試験管の整列が完了したと確認し、順位を上げ、第２順位の検査対象者の試験管ラベリングのためのプロセスを進行するように設定される。
【００６４】
本発明の多様な実施形態による試験管ラベリング装置１００のラベリングプロセスは、図３のフローチャートに従い、優先順位によるデータの検査対象者の全体に対する試験管のラベリングが全て終わると、プロセスが終了（３０９）する。図３のフローチャートにおいて、全ての動作が順次に行われるのではなく、変更されても良く、二つの動作が並列的に行われても良い。
【００６５】
本発明の多様な実施形態による順次ラベリングが可能な試験管ラベリング装置１００の動作は、病院の必要条件による優先順位に合わせ（３０１）、（１）複数のカセット１１１が含まれたカセット部１１０から試験管を移送部１２０に一つずつ取り出し（３０３）、（２）取り出された試験管を移送部１２０を介して運んで一つずつ排出し、（３）試験管ラベリング装置１００のメモリに格納されたデータベースの情報、及び／又は外部装置に格納されたデータベースの情報をラベルプリント部１４０により印刷し、（４）試験管ラベリング装置１００のラベル貼付部１５０により、印刷されたラベルを試験管に貼り付け（３０４）、（５）ラベル貼付済みの試験管をラベル貼付部１５０から試験管収納部１６０に排出する動作（３０７）を含むことができる。
【００６６】
順次ラベリングが可能な試験管ラベリング装置１００の動作は、前記（４）と（５）の動作の間において、ラベリングが完了した試験管のラベル印刷情報をラベル貼付部１５０にある内部スキャナ１５１によりバーコード情報とのマッチングを行い（３０５）、一致する場合、試験管収納部１６０にラベリングが完了した試験管を排出する準備を行うことができる。試験管ラベリング装置１００の試験管ラベリング方法は、前記マッチング（３０５）が一致しない場合、エラーメッセージを生成して間違いがある試験管（ｔｕｂｅ）を取り除いた後、新しいラベルをプリントし、前記（３）ないし（５）の動作を繰り返すことができる。
【００６７】
順次ラベリングが可能な試験管ラベリング装置１００の動作は、前記（４）と（５）の動作の間において、前記印刷ラベルの間違いマッチングが完了した場合、試験管収納部１６０のセンサー１６１を介して、試験管収納部１６０に既に排出された試験管が存在するか制御部１３０で判断する動作（３０６）を含むことができる。
【００６８】
順次ラベリングが可能な試験管ラベリング装置１００の動作は、制御部１３０が、試験管収納部１６０のセンサー１６１が試験管収納部１６０への試験管の流入又は排出を感知した信号を受信し、試験管収納部１６０に既に排出された試験管が存在する場合、試験管収納部１６０のセンサー１６１が試験管収納部１６０を感知する動作（３０６）を繰り返すことができる。
【００６９】
順次ラベリングが可能な試験管ラベリング装置１００の動作は、制御部１３０が、試験管収納部１６０のトレーに試験管が存在しないという信号を受信すれば、前記（１）ないし（５）の動作を経て、次順位の試験管を排出（３０８）するようにする動作を含むことができる。
【００７０】
順次ラベリングが可能な試験管ラベリング装置１００の動作は、試験管ラベリング装置１００が行った検査対象者に対するプロセスが終了するか（３０９）又は間違いが発生すると、前記（１）ないし（５）の動作を繰り返して行うようにすることができる。
【００７１】
（付記）
（付記１）
試験管ラベリング装置において、
複数の試験管を収納し、前記複数の試験管を一つずつ排出するように構成された複数のカセットを含むカセット部と、
前記複数のカセットから供給される試験管を前記試験管ラベリング装置内で移動させる移送部と、
前記移送部により、前記複数のカセットから供給される試験管に貼り付けられるラベルに情報を印刷するラベルプリント部と、
前記ラベルプリント部から印刷されたラベルを試験管に貼り付けるラベル貼付部と、
前記ラベル貼付部から供給されるラベルが貼り付けられた試験管を収納する試験管収納部と、
前記カセット部、前記移送部、前記ラベルプリント部、前記ラベル貼付部及び前記試験管収納部と動作的に接続される制御部と、
を含み、
前記制御部は、
検査対象者の識別情報、検査情報及び検査順位に関する情報が格納されているデータベースにアクセスし、
前記データベースから確認した検査順位情報に基づいて、試験管が順次に前記ラベル貼付部に供給されるように前記カセット部及び前記移送部を制御し、
前記検査順位情報に従って順次に提供された試験管に、前記検査対象者の識別情報及び検査情報を含む情報を試験管に貼り付けられるラベルに印刷するように、前記ラベルプリント部を制御する、
試験管ラベリング装置。
【００７２】
（付記２）
前記試験管収納部は、前記試験管収納部における試験管の流入及び排出を感知するセンサーを含み、
前記制御部は、前記センサーから試験管の流入感知信号及び排出感知信号を受信することに対応し、排出が感知された試験管の次順位の試験管が、前記ラベル貼付部に供給されるようにし、前記排出が感知された試験管の次順位に当たる検査対象者の識別情報及び検査情報を含む情報がプリントされたラベルが、試験管に貼り付けられるようにする、
付記１に記載の試験管ラベリング装置。
【００７３】
（付記３）
前記試験管ラベリング装置は格納装置をさらに含み、前記データベースは前記格納装置に格納される、付記１に記載の試験管ラベリング装置。
【００７４】
（付記４）
前記試験管ラベリング装置は、外部電子装置と通信できる通信モジュールをさらに含み、
前記制御部は、前記通信モジュールを介して前記外部電子装置に格納されているデータベースにアクセスする、
付記１に記載の試験管ラベリング装置。
【００７５】
（付記５）
付記１に記載された試験管ラベリング装置における検査順位情報に従って試験管にラベルを貼り付ける動作が実行されるようにするプログラムが記録されたコンピュータ読み取り可能な記録媒体において、
前記プログラムは、実行時、前記試験管ラベリング装置の前記制御部が、
検査対象者の識別情報、検査情報及び検査順位に関する情報が格納されている前記データベースにアクセスする動作と、
前記データベースから確認した検査順位情報に基づいて、試験管が順次に前記試験管ラベリング装置の前記ラベル貼付部に供給されるように前記カセット部及び前記移送部を制御する動作と、
前記検査順位情報に従って順次に提供された試験管に、前記検査対象者の識別情報及び検査情報を含む情報を試験管に貼り付けられるラベルにプリントするように前記制御する動作と、
を行うようにする、コンピュータ読み取り可能な記録媒体。
【００７６】
（付記６）
前記プログラムは、実行時、前記試験管ラベリング装置の前記制御部が、
前記試験管収納部に設置され、前記試験管収納部における試験管の流入及び排出を感知するセンサーから試験管の流入感知信号及び排出感知信号を受信することに対応し、前記排出が感知された試験管の次順位の試験管が前記ラベル貼付部に供給されるように制御する動作と、
排出が感知された試験管の次順位に当たる検査対象者の識別情報及び検査情報を含む情報がプリントされたラベルが、次順位の試験管に貼り付けられるように制御する動作と、
をさらに行うようにする、付記５に記載のコンピュータ読み取り可能な記録媒体。
【図１】
2020200111.tif 000003
【図２】
2020200111.tif 000004
【図３】
2020200111.tif 000005